(57)【要約】ＯＦＤＭシンボルを受信するよう動作可能な受信器（１）は、アンテナ（２）と、受信回路（２１）と、電力制御ユニット（ＰＣＵ）（２０）とを有する。電力制御ユニット（２０）は、受信回路（２１）の構成要素の制御入力部へ接続された制御出力部を有する。アンテナ（２）で受信されるＯＦＤＭシンボルはメイン信号及び保護信号を含み、保護信号はメイン信号の周期的拡大である。ＰＣＵ（２０）の制御出力部は、また、メイン信号の受信中は論理レベル１にあり、保護信号の受信中は論理レベル０にあるよう配置される。このようにして、ＰＣＵ（２０）は、保護信号の受信中に受信回路（２１）の構成要素の動作を停止させる。これにより、受信器（１）の電力は節約され得る。
2008546344.tif 000002
【特許請求の範囲】
【請求項１】
開始から終了までのシンボル存続期間Ｂを有するシンボルであって、存続期間Ａのメイン信号と、該メイン信号の少なくとも一部のコピーであって、周期的に前記メイン信号の接頭又は末尾に付加される保護信号とを含むＯＦＤＭシンボル内に存在するデータを受信するよう動作可能な受信手段の動作方法であって、
前記シンボルの開始時又は開始後に始まり、前記シンボルの終了時又は終了前に終わる存続期間Ｃを有する受信期間の間、前記受信手段を有効に動作させるステップと、
前記シンボルの開始から前記受信期間の開始までのいずれの期間及び前記受信期間の終了から前記シンボルの終了までのいずれの期間の間、前記受信手段の少なくとも一部を有効に動作させることを止めるステップとを有し、
前記受信存続期間Ｃは、前記期間Ａよりも大きいか又は実質的に等しく、前記期間Ｂよりも小さい、ことを特徴とする方法。
【請求項２】
前記受信存続期間Ｃは、前記メイン信号の存続期間Ａにおおよそ等しい、請求項１記載の方法。
【請求項３】
前記保護信号は、周期的に前記メイン信号の接頭に付加され、
前記受信手段を有効に動作させるステップは、前記メイン信号の開始時に開始し、前記シンボルの終了時に終了する前記受信期間の間、前記受信手段を動作させるステップを有する、請求項２記載の方法。
【請求項４】
前記保護信号が周期的に前記メイン信号の接頭に付加され、
前記受信手段を有効に動作させるステップが、前記シンボル開始時に開始する前記受信期間の間、前記受信手段を動作させるステップを有する場合に、
前記保護信号を前記受信したシンボルの最後へと動かすステップを更に有する、請求項２記載の方法。
【請求項５】
前記保護信号は、周期的に前記メイン信号の末尾に付加され、
前記受信手段を有効に動作させるステップは、前記シンボルの開始時に開始し、前記メイン信号の終了時に終了する前記受信期間の間、前記受信手段を動作させるステップを有する、請求項２記載の方法。
【請求項６】
前記保護信号が周期的に前記メイン信号の末尾に付加され、
前記受信手段を有効に動作させるステップが、前記シンボルの開始後の前記保護信号の存続期間に等しい時点に開始し、前記シンボルの終了時に終了する前記受信期間の間、前記受信手段を動作させるステップを有する場合に、
前記保護信号を前記受信したシンボルの先頭へと動かすステップを更に有する、請求項２記載の方法。
【請求項７】
開始から終了までのシンボル存続期間Ｂを有するシンボルであって、存続期間Ａのメイン信号と、該メイン信号の少なくとも一部のコピーであって、周期的に前記メイン信号の接頭又は末尾に付加される保護信号とを含むＯＦＤＭシンボル内に存在するデータを受信するよう動作可能であり、受信回路及び電力制御ユニットを有する受信器であって、
前記電力制御ユニットは、
前記シンボルの開始時又は開始後に始まり、前記シンボルの終了時又は終了前に終わる存続期間Ｃを有する受信期間の間、前記受信回路を有効に動作させ、
前記シンボルの開始から前記受信期間の開始までのいずれの期間及び前記受信期間の終了から前記シンボルの終了までのいずれの期間の間、前記受信回路の少なくとも一部を有効に動作させることを止める
よう動作可能であり、
前記受信存続期間Ｃは、前記期間Ａよりも大きいか又は実質的に等しく、前記期間Ｂよりも小さい、ことを特徴とする受信器。
【発明の詳細な説明】
【技術分野】
【０００１】
本発明は、ＯＦＤＭシンボル内に存在するデータを受信するよう動作可能な受信手段の動作方法と、対応する装置とに関連する。
【背景技術】
【０００２】
直交周波数分割多重化（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）は、高データレートの無線通信に使用される効果的な方法である。シンボルの連続から構成されるデータシーケンスは、複数の副搬送波に分けられる。通常、数千の副搬送波が存在しうる。シンボルは副搬送波の間で分割される。従って、各副搬送におけるシンボルレートは、元のチャネルにおけるデータレートよりも実質的に低い。これは、実質的に、チャネル分散に起因してシンボル間干渉（ｉ．ｓ．ｉ；ｉｎｔｅｒ−ｓｙｍｂｏｌ  ｉｎｔｅｒｆｅｒｅｎｃｅ）を低減することができる。副搬送波は互いに直交する。直交する副搬送波を用いることは、それらが相互に独立したままであることを確実にする。受信器で、各副搬送波は別々に復調され、次いで、元のデータシーケンスが再構成される。
【０００３】
ＯＦＤＭを用いることは実質的に信号の品質を改善するが、誤差がマルチパス遅延の存在下で導入され得る。マルチパス遅延は、ケーブルシステムでは、整合されないケーブル接合に起因して、また、無線システムでは、建物及び他の対象物からの反射及び散乱に起因して起こり得る。マルチパス遅延の効果は、受信器が、意図されたシンボルのみを積分するのではなく、２つのシンボルの境界を超えて積分を行って、シンボルの直交性を破壊し、しばしばｉ．ｓ．ｉ及びチャネル間干渉（ｉ．ｃ．ｉ；ｉｎｔｅｒ−ｃｈａｎｎｅｌ  ｉｎｔｅｒｆｅｒｅｎｃｅ）を生じさせることである。
【０００４】
マルチパス遅延の効果を最小限とするよう、送信信号は、周期的な信号を供給するよう、シンボル期間を超えて拡大され得る。信号拡大は保護信号として知られており、それは元の信号の接頭又は末尾に付加され得る。マルチパス遅延が保護信号の存続期間よりも小さいならば、受信器の相関器はシンボル内でのみ積分を行い、ｉ．ｓ．ｉ及びｉ．ｃ．ｉは取り除かれる。
【０００５】
現在、ＯＦＤＭは、デジタル音声放送（ＤＡＢ；Ｄｉｇｉｔａｌ  Ａｕｄｉｏ  Ｂｒｏａｄｃａｓｔ）及びデジタル映像放送（ＤＶＢ；Ｄｉｇｉｔａｌ  Ｖｉｄｅｏ  Ｂｒｏａｄｃａｓｔ）に使用されており、大気条件に起因するマルチパス歪み（アナログ式テレビジョン放送における“ゴースト”の原因。）及び信号遅延に対するその耐性は大きな利点となっている。それは、また、ＡＤＳＬでも使用されている。これは、ＣＯＦＤＭ（符号化ＯＦＤＭ）信号が、容易には他の信号と干渉しないためである。ＯＦＤＭは、また、ＷＬＡＮ（ＩＥＥＥ８０２．１１）及び他のシステムでも使用されている。
【発明の開示】
【発明が解決しようとする課題】
【０００６】
無線チャネルにおいて、マルチパス遅延は、通常、有限な又は一定の値を有さない。一般に、マルチパス遅延は指数関数的プロファイルを有する。また、多重経路の遅延の二乗平均平方根である遅延拡散は、大気条件に依存して変化しうる。全ての条件において直交性を確保するよう、保護信号は、通常、最大の期待される遅延拡散の少なくとも４倍の長さの存続期間を有するよう選択される。この場合に、保護信号はシンボルの４分の１を占める。従って、保護信号を用いることは、所与の帯域幅に関してデータレートを低減する。シンボル全体は受信器で受信され、保護信号は、信号が復調される前に取り除かれる。
【課題を解決するための手段】
【０００７】
本発明の第１の態様に従って、開始から終了までのシンボル存続期間Ｂを有するシンボルであって、存続期間Ａのメイン信号と、該メイン信号の少なくとも一部のコピーであって、周期的に前記メイン信号の接頭又は末尾に付加される保護信号とを含むＯＦＤＭシンボル内に存在するデータを受信するよう動作可能な受信手段の動作方法であって、前記シンボルの開始時又は開始後に始まり、前記シンボルの終了時又は終了前に終わる存続期間Ｃを有する受信期間の間、前記受信手段を有効に動作させるステップと、前記シンボルの開始から前記受信期間の開始までのいずれの期間及び前記受信期間の終了から前記シンボルの終了までのいずれの期間の間、前記受信手段の少なくとも一部を有効に動作させることを止めるステップとを有し、前記受信存続期間Ｃは、前記期間Ａよりも大きいか又は実質的に等しく、前記期間Ｂよりも小さい、ことを特徴とする方法が提供される。
【０００８】
前記受信手段は、有用な信号出力を供給することを可能にするよう十分な電力を供給される場合に、有効に動作する。
【０００９】
本発明の第２の態様に従って、開始から終了までのシンボル存続期間Ｂを有するシンボルであって、存続期間Ａのメイン信号と、該メイン信号の少なくとも一部のコピーであって、周期的に前記メイン信号の接頭又は末尾に付加される保護信号とを含むＯＦＤＭシンボル内に存在するデータを受信するよう動作可能であり、受信回路及び電力制御ユニットを有する受信器であって、前記電力制御ユニットは、前記シンボルの開始時又は開始後に始まり、前記シンボルの終了時又は終了前に終わる存続期間Ｃを有する受信期間の間、前記受信回路を有効に動作させ、前記シンボルの開始から前記受信期間の開始までのいずれの期間及び前記受信期間の終了から前記シンボルの終了までのいずれの期間の間、前記受信回路の少なくとも一部を有効に動作させることを止めるよう動作可能であり、前記受信存続期間Ｃは、前記期間Ａよりも大きいか又は実質的に等しく、前記期間Ｂよりも小さい、ことを特徴とする受信器が提供される。
【発明の効果】
【００１０】
シンボルの期間よりも小さい存続期間を有する受信期間の間前記受信手段を動作させることによって、電力が当該受信装置において節約され得る。これは、例えば移動体通信装置などの電池駆動式システムにおいて特に有利となりうる。２又はそれ以上の異なる規格により通信するために共通のハードウェアを利用する装置では、受信手段の動作を早期に中止することは、また、異なる規格に従う信号の送信又は受信がより速く開始されることを可能にする。
【発明を実施するための最良の形態】
【００１１】
ここで、本発明の実施形態について、単なる一例として添付の図面を参照して記載する。
【００１２】
図面において、参照番号は全体を通して同じ要素に対して再び使用されている。
【００１３】
最初に図１を参照すると、受信器回路１は、増幅器４の第１の入力部へ接続された出力部を有するアンテナ２を有する。増幅器４は、混合器６の第１の信号入力部へ接続された出力部を有する。電圧制御発振器（ＶＣＯ；Ｖｏｌｔａｇｅ  Ｃｏｎｔｒｏｌｌｅｄ  Ｏｓｃｉｌｌａｔｏｒ）８は、混合器６の第２の信号入力部へ接続された出力部を有する。混合器６は、低域通過フィルタ１０の信号入力部へ接続された出力部を有する。低域通過フィルタ１０は、アナログ−デジタル変換器（ＡＤＣ；Ａｎａｌｏｇｕｅ−Ｄｉｇｉｔａｌ  Ｃｏｎｖｅｒｔｅｒ）１２の信号入力部へ接続された出力部を有する。ＡＤＣ１２は、復調器１４の信号入力部へ接続された出力部を有する。復調器１４は、更なる回路（図示せず。）へ接続されたデータ出力部を有する。復調器１４は、また、電力制御ユニット（ＰＣＵ；Ｐｏｗｅｒ  Ｃｏｎｔｒｏｌ  Ｕｎｉｔ）へ接続された第２の出力部を有する。ＰＣＵ２０は、復調器１４の制御入力部と、ＡＤＣ１２の制御入力部と、低域通過フィルタ１０の制御入力部と、ＶＣＯ８と、混合器６の制御入力部と、増幅器４の制御入力部とへ共通に接続された制御出力部を有する。増幅器４、混合器６、局部発振器８、フィルタ１０、ＡＤＣ１２、及び復調器１４は、まとまって受信回路２１を構成する。
【００１４】
受信器回路１は、ＯＦＤＭ信号を受信するよう動作可能である。変調及び送信前のＯＦＤＭベースバンド信号は、ＯＦＤＭシンボルのシーケンスを含む。各ＯＦＤＭシンボルは、各副搬送波に変調されたシンボルを有して、複数の直交周波数副搬送波の総和を有する。シンボルは、ある種の直交振幅変調（ＱＡＭ；Ｑｕａｄｒａｔｕｒｅ  Ａｍｐｌｉｔｕｄｅ  Ｍｏｄｕｌａｔｉｏｎ）又は位相偏移キーイング（ＰＳＫ；Ｐｈａｓｅ−Ｓｈｉｆｔ  Ｋｅｙｉｎｇ）を用いて副搬送波において変調され得る。ＯＦＤＭベースバンド信号は、その場合、送信前にメインＲＦ搬送波を変調するために使用される。
【００１５】
保護信号は、周期的に各ＯＦＤＭシンボルの接頭又は末尾のいずれか一方に付加されるよう存在する。第１の実施形態で、受信信号は、各ＯＦＤＭシンボルの接頭に付加された保護信号を含む。従って、各ＯＦＤＭシンボルは、メイン信号が後に続く保護信号を有する。なお、メイン信号は、含まれるデータの一期間の存続期間を有する。しかし、受信器回路１は、また、受信信号の保護信号が各ＯＦＤＭシンボルの末尾に付加されるところの第２の実施形態においても使用され得る。
【００１６】
ＯＦＤＭ信号は、また、狭帯域フェーディングの影響を軽減することができる、例えば前進型誤信号訂正（ＦＥＣ；Ｆｏｒｗａｒｄ  Ｅｒｒｏｒ  Ｃｏｒｒｅｃｔｉｏｎ）のようなある符号化形式を用いても良い。
【００１７】
アンテナ２は、ＯＦＤＭ信号を受信し、それを増幅器４へ送る。増幅器４は、信号を増幅し、それを混合器６へ送る。ＶＣＯ８は、受信信号のメインＲＦ搬送波の周波数に整合した周波数を有する局部発振器信号を出力する。受信信号及び局部発振器信号が混合器６で混同されると、高周波信号とともに、ベースバンドＯＦＤＭ信号が生ずる。低域通過フィルタ１０は、高周波信号を除去する。結果として得られるＯＦＤＭベースバンド信号は、次いで、ＡＤＣ１２によってデジタル信号に変換される。
【００１８】
デジタル信号は復調器１４へ送られる。復調器１４は、シンボルタイミングが未だ知られていないならば、かかるシンボルタイミングを計算する。シンボルタイミングは、以下で記載される相関器回路２２を用いて計算され得る。シンボルタイミング情報は、各シンボルに存在する周期的拡大を取り除くために使用される。次いで、デジタル信号は、別個のブランチにおける夫々のサブチャネルを有して、並列チャネルに分割される。次いで、並列サブチャネルは、別々に復調される。復調は、高速フーリエ変換（ＦＦＴ；Ｆａｓｔ  Ｆｏｕｒｉｅｒ  Ｔｒａｎｓｆｏｒｍ）により実行され得る。ＦＦＴは、元のシンボルから成る、サブチャネルごとの並列データシーケンスを取り出す。次いで、シンボルの元の信号データシーケンスは、再成形され、更なる回路、例えば処理装置へ送られる。復調器１４は、また、受信信号の信号対雑音比（ＳＮＲ；Ｓｉｇｎａｌ  ｔｏ  Ｎｏｉｓｅ  Ｒａｔｉｏ）の大きさを計算する。
【００１９】
シンボルタイミングを決定する回路２２が図２に表される。デジタルベースバンド信号は、２つのブランチ２４及び２６に分けられる。第１のブランチ２４における信号は、直接的に混合器２８の第１の信号入力部へ送られる。第２のブランチ２６における信号は、時間Ｔだけ遅延され、次いで、混合器２８の第２の信号入力部に送られる。次いで、結果として得られる混合信号は積分器３０へ送られる。積分器３０は、保護信号の存続期間Ｔｇに等しい存続期間にわたって混合信号を積分する。保護信号は、メイン信号の接頭又は末尾に付加されたメイン信号の最初又は最後のセクションの複製であるから、シンボルの最後の区間はシンボルの最初の区間と同じである。なお、区間は、保護信号の存続期間Ｔｇに等しい存続期間を有する。時間遅延Ｔは、段階的な方法で復調器１４によって変更される。積分器３０の出力は、２つの信号の間の遅延Ｔがメイン信号の一期間に等しい場合に最大である。これは、かかる遅延において、保護信号が、メイン信号のその対応するセクションを妨げることによる。必然的に、最大相関は、遅延されていないブランチ２４におけるシンボルの開始時に生ずる。従って、メイン信号の期間及びシンボルの開始位置は、相関器回路の出力から見つけられる。通常、保護信号の位置は、受信器が動作しているところのシステムの仕様から知られる。ほとんどの場合において、保護信号はメイン信号の接頭に付加される。保護信号の存続期間は、また、接続がセットアップされる場合に受信される信号情報から又はシステム仕様から、通常は予め知られる。
【００２０】
回路２２は、シンボルタイミングが未だ知られていない場合に使用されるよう配置される。しかし、例えばＤＶＢ−Ｔなどのほとんどの場合において、ＯＦＤＭシンボルは長い連続的なシーケンスで送信され、ＯＦＤＭシンボルは均一な長さを有する。従って、最初のシンボルが受信されて、タイミングが決定されると、このようなシステムでは、その後にシンボルタイミングを計算することが不要となる。
【００２１】
シンボルタイミング情報は、復調器１４の第２の出力部を介してＰＣＵ２０へ供給される。ＰＣＵ２０は、受信回路２１の各部へ電力を供給すべきときを決定するためにシンボルタイミングを使用する。ＰＣＵ２０は、メイン信号の存続期間よりも大きいか又はそれに等しく、シンボルの存続期間よりも小さい存続期間の間、各シンボルの受信中に電力を供給することができる。
【００２２】
図３は、アンテナ２における受信信号３２を表す。この信号３２は、説明のためにのみ用いられ、実際の信号を表しているわけではない。信号３２は、期間Ｓ１、Ｓ２、Ｓ３及びＳ４内に夫々ある４つのＯＦＤＭシンボルを含む。各ＯＦＤＭシンボルは、期間Ｔｇ１、Ｔｇ２、Ｔｇ３及びＴｇ４内に夫々ある各保護信号と、期間Ｔｍ１、Ｔｍ２、Ｔｍ３及びＴｍ４内に夫々ある各メイン信号とを含む。この実施形態において、保護信号はメイン信号の接頭に付加されている。しかし、他の実施形態では、保護信号はメイン信号の末尾に付加され得る。保護信号は、その対応するメイン信号の最後の部分の複製である。
【００２３】
ライン３４は、受信器１が第１の実施例に従って動作している場合に、ＰＣＵ２０によって供給される制御信号が時間とともにどのように変化するかを表す。ＰＣＵ２０は、メイン信号が受信されている期間Ｔｍ１、Ｔｍ２、Ｔｍ３、Ｔｍ４の間は受信回路２１の各部へ電力を供給するよう配置されており、従って、かかる期間の間は論理レベル１を有する信号を供給する。ＰＣＵ２０は、保護信号が受信されている期間Ｔｇ１、Ｔｇ２、Ｔｇ３、Ｔｇ４の間は受信器回路１へ電力を供給することをやめるよう配置されており、従って、かかる期間の間は論理レベル０を有する信号を供給する。
【００２４】
電力は、保護信号がアンテナ２で受信される間は受信回路２１の各部へ電極を供給することを止めることによって、受信回路において節約される。
【００２５】
図４は、本発明の第２の実施形態において、ＰＣＵ２０の出力が受信器１の動作中にどのように変化するかを表す。使用される受信回路網１は、第１の実施形態で使用されるもとの同じである。しかし、ＰＣＵ２０は、第１の実施形態とは異なる方法でシンボルタイミングに応答するよう配置される。
【００２６】
図中、受信信号３６は、図３の送信信号と同じ成分を有する。
【００２７】
ライン３８は、ＰＣＵ２０によって供給される制御信号が時間とともにどのように変化するかを表す。ＰＣＵ２０は、シンボル期間Ｓ１、Ｓ２、Ｓ３、Ｓ４の開始時に始まり、メイン信号の存続期間と等しい存続期間を有する期間の間は受信回路２１の各部へ電力を供給するよう配置される。ＰＣＵ２０は、各シンボルの残りの部分の間は受信回路２１の各部へ電力を供給することをやめる。従って、ＰＣＵ２０の制御出力は、メイン信号の存続期間に等しい存続期間を有するシンボルの第１の部分の間は論理レベル１を有し、各シンボルの残りの部分の間は論理レベル０を有する信号３８である。信号のパラメータが知られていない場合にかかる方法を使用することが望ましい。
【００２８】
図５Ａは、図４の期間Ｓ１内のシンボルの第１の部分である受信シンボル４０を表す。なお、第１の部分は、メイン信号の期間Ｔｍ１の存続期間に等しい存続期間を有する。この第２の実施形態で、受信シンボル４０は、期間Ｔｍ１内のメイン信号とは形が同じではない。これは、保護信号期間Ｔｇ１の存続期間に等しい存続期間を有するメイン信号の第１の部分が受信シンボル４０の一部を形成していないためである。これは、ＰＣＵ２０が、メイン信号の最後の部分がアンテナ２で受信される期間中に受信回路２１の各部へ電力を供給することをやめるよう配置されることによる。従って、シンボル４０は、保護信号の形状を有する第１の部分４２と、第１の部分４２の直ぐ後に続く第２の部分４４とを含む。ここで、第２の部分はメイン信号の開始部分の形状を有する。保護信号４２はメイン信号の最後の部分の複製である。図５Ｂは、受信したＯＦＤＭシンボルの操作された形４６を表す。シンボルの操作された形４６を生成するよう、保護信号４２に対応するデータビットは第２の部分４４の最後へ動かされる。その結果、シンボル４６は、期間Ｔｍ１においてアンテナ２で受信されるメイン信号と同じ形状を有する。
【００２９】
本発明は上記実施形態に関連して記載されるが、当業者には明らかなように、本発明の適用範囲を逸脱することなく変形をなし得る。
【００３０】
例えば、保護信号全体を受信することをやめる代わりに、ＰＣＵ２０は、むしろ、保護回路のごく一部の受信中、受信回路２１の各部へ電極を供給することができる。
【００３１】
ＰＣＵ２０の制御出力は、受信回路２１の全ての構成要素へ適用される必要はなく、代わりに、例えば、最大電力を消費する構成要素又は最も容易にオン及びオフを切り替えられる構成要素等、選択された構成要素へのみ適用されても良い。更に、ＰＣＵ２０の制御出力は、選択された構成要素をオフに切り替える必要はなく、代わりに、選択された構成要素を低電力又は待機モードに入るよう制御しても良い。これにより、構成要素が受信期間の開始時にオンに切り替えられるために必要とされる時間を削減することができる。
【００３２】
受信回路２１の構成要素が電極を供給されるところの各シンボルの部分は、その存続期間がメイン信号の存続期間に実質的に等しいか又はそれよりも大きく、シンボルの存続期間よりも小さいならば、如何なる値も取ることができる。存続期間は、メイン信号の存続期間よりも僅かに小さいだけでも良い。しかし、受信存続期間がメイン信号の存続期間よりも小さい場合、信号品質は、受信存続期間が次第により短くなるにつれて急速に劣化する。
【図面の簡単な説明】
【００３３】
【図１】本発明に従う受信器の系統図である。
【図２】図１の受信器の相関器の一部の系統図である。
【図３】本発明の一実施形態において、受信したＯＦＤＭ信号とともに、図１の受信器回路の電力制御ユニットの出力を表す。
【図４】本発明の第２の実施形態において、ＯＦＤＭ信号とともに、図１の受信器回路の電力制御ユニットの出力を表す。
【図５Ａ】本発明の第２の実施形態において、図４の期間Ｓ１内のシンボルの第１の部分である受信シンボル４０を表す。
【図５Ｂ】本発明の第２の実施形態において、受信したＯＦＤＭシンボルについて図１の受信器の変調器によって操作された形４６を表す。
【図１】
2008546344.tif 000003
【図２】
2008546344.tif 000004
【図３】
2008546344.tif 000005
【図４】
2008546344.tif 000006
【図５Ａ】
2008546344.tif 000007
【図５Ｂ】
2008546344.tif 000008
【国際調査報告】
2008546344.tif 000009
2008546344.tif 000010